(57)【要約】  【課題】  他艦艇に対する従来の通話機能は残し、選択によって、同一艦艇内の連接端末間でも通話が自動的に実行可能となる連接端末プログラムを提供する。  【解決手段】  この発明の連接端末プログラムは、同一領域内連接プログラムと同一領域内音声プログラムとを有し、同一領域内において一方の連接端末１１から他方の連接端末１２に所望の通信系を介した同一領域内連接端末間通話の要求を行えば、同一領域内連接プログラムＰＧ１１，ＰＧ１２が所望の通信系を選択し、同一領域内音声プログラムＳＤ１１，ＳＤ１２が両者間の音声データの授受を可能にさせるので、同一領域内において連接端末間の通話を自在に行うことができる。したがって、同一領域内連接プログラムおよび同一領域内音声プログラムを有する連接端末プログラムが、他の領域（他艦艇）に対する従来の通話機能は残したままで、選択に基づいて、同一の領域内（艦艇内）の連接端末間でも通話が自在に実行できるようにしている。  【選択図】  図２
2006191435.tif 000002
【特許請求の範囲】
【請求項１】
各領域において無線部と複数の連接端末とがネットワークで接続され、送信元となる領域の何れかの連接端末から所望の通信系を用いる連接端末間通話の要求があった場合には、送信元領域の無線部に所望の通信系を選択させる連接機能と、連接機能によって選択された通信系を介して音声データの授受を可能にさせる音声機能とを有する連接端末プログラムにおいて、
送信元となる何れかの連接端末から所望の通信系をもちいて、同一領域内の他の連接端末に対する同一領域内連接端末間通話の要求があった場合には、ネットワークを介して両者を直接的に接続する通信系を選択する同一領域内連接機能と、
前記同一領域内連接機能によって選択された通信系を介して前記両者間の音声データの授受を可能にさせる同一領域内音声機能とを有することを特徴とする連接端末プログラム。
【発明の詳細な説明】
【技術分野】
【０００１】
本発明は、連接端末プログラムに関し、特に、各領域において無線部と複数の連接端末とがネットワークで接続され、送信元となる領域の何れかの連接端末から所望の通信系を用いる連接端末間通話の要求があった場合には、送信元領域の無線部に所望の通信系を選択させる連接機能と、連接機能によって選択された通信系を介して音声データの授受を可能にさせる音声機能とを有する連接端末プログラムに関する。
【背景技術】
【０００２】
図５は、連接端末プログラムが用いられている無線通信システムの従来例を示す図である。図５に示されるような第１，第２の艦艇１０１，２０１の間の無線通信システムにおいて、第１の艦艇１０１は、送受信アンテナ１１０ａおよび無線機１１０ｂからなる無線部１１０と、複数の連接端末１１１，１１２，〜，１１ｎと、ネットワーク１３０とを有する。この場合、無線部１１０と複数の連接端末１１１，１１２，〜，１１ｎとはネットワーク１３０を介して接続されている。第２の艦艇２０１についても同様であって、第２の艦艇２０１は、送受信アンテナ２２０ａおよび無線機２２０ｂからなる無線部２２０と、複数の連接端末２２１，〜，２２ｍと、無線機材２４０と、ネットワーク２６０とを有し、無線部２２０と複数の連接端末２２１，〜，２２ｍおよび無線器材２４０とはネットワーク２６０を介して接続されている。
【０００３】
上述の無線通信システムにおいて、例えば、第１の艦艇１０１の連接端末１１１から第２の艦艇２０１の連接端末２２１に対して通話を行おうとする場合、連接プログラム（機能）ＰＨ１１と音声プログラム（機能）ＳＥ１１とから構成される第１の艦艇１０１の連接端末プログラムが要求に基づいて動作を開始し、連接プログラムＰＨ２１と音声プログラムＳＥ２１とから構成される第２の艦艇２０１の連接端末プログラムと協働して通話要求を処理する。すなわち、連接プログラムＰＨ１１は、図６に示されるように、通信路ＣＣ１，ＣＣ２，ＣＣ３を経由するような所望の通信系を選択するとともに（Ｔ５１）、音声プログラムＳＥ１１に起動をかけ、音声プログラムＳＥ１１は、連接プログラムＰＨ１１から無線部１１０のＩＰアドレスと起動メッセージを受け取って起動する（Ｔ５２）。
【０００４】
ステップＴ５２において起動した音声プログラムＳＥ１１は、無線部１１０，２２０を介して連接端末２２１に対する音声データ授受のための接続を要求し（Ｔ５３）、音声データを送出する（Ｔ５４，Ｔ５６）。しかし、無線部と連接端末２２１との接続が完了していない間は、音声データは折り返され（Ｔ５５，Ｔ５７）、通話は実行できない。連接端末２２１の側においても、音声プログラムＳＥ２１に起動が通知され（Ｔ５８）、音声プログラムＳＥ２１が起動し、接続要求が出され（Ｔ６０）、音声プログラムＳＥ１１，ＳＥ２１による接続が完了すると、所望の通信系による音声データの授受が実行される（Ｔ６１）。なお、本発明は、本発明の出願人によって出願された下記の特許文献１に関連してなされたものであるが、その他にもネットワークを介して各部が情報の授受を行う方法が提案されており、それらのうち下記の特許文献２に開示されている発明が本発明に関連あると思われる。
【特許文献１】特願２００４−１１９７４６号（第２−３ページ）
【特許文献２】特開平９−８８０４号公報  （要約、第１図）
【発明の開示】
【発明が解決しようとする課題】
【０００５】
しかし、上述の例において、第１の領域を形成している第１の艦艇１０１の連接端末１１１から、例えば、同一領域、すなわち、同じ艦艇の連接端末１１２に対して通話を行おうとする場合、無線部１１０のケーブルの接続などの環境変更を手作業で行わなければならず、同一艦艇内の通話を自動的に行うことができず、効率的ではない。
【０００６】
本発明は上述した問題点を解決するためになされたものであり、他艦艇に対する従来の通話機能は残したままで、必要がある場合には、同一艦艇内の連接端末間でも通話が自動的に実行可能にする連接端末プログラムを提供することを目的とする。
【課題を解決するための手段】
【０００７】
上述した課題を解決するため、本発明に係る連接端末プログラムは、各領域において無線部と複数の連接端末とがネットワークで接続され、送信元となる領域の何れかの連接端末から所望の通信系を用いる連接端末間通話の要求があった場合には、送信元領域の無線部に所望の通信系を選択させる連接機能と、連接機能によって選択された通信系を介して音声データの授受を可能にさせる音声機能とを有する連接端末プログラムにおいて、
送信元となる何れかの連接端末から所望の通信系をもちいて、同一領域内の他の連接端末に対する同一領域内連接端末間通話の要求があった場合には、ネットワークを介して両者を直接的に接続する通信系を選択する同一領域内連接機能と、
前記同一領域内連接機能によって選択された通信系を介して前記両者間の音声データの授受を可能にさせる同一領域内音声機能とを有する。
【０００８】
このような構成によれば、同一領域内において一方の連接端末から他方の連接端末に所望の通信系を介した同一領域内連接端末間通話の要求を行えば、同一領域内連接機能（プログラム）が所望の通信系を選択し、同一領域内音声機能（プログラム）が両者間の音声データの授受を可能にさせるので、同一領域内において連接端末間の通話を自在に行うことができる。
【発明の効果】
【０００９】
以上に詳述したように本発明によれば、同一領域内において一方の連接端末から他方の連接端末に所望の通信系を介した同一領域内連接端末間通話の要求を行えば、同一領域内連接機能が所望の通信系を選択し、同一領域内音声機能が両者間の音声データの授受を可能にさせるので、同一領域内において連接端末間の通話を自在に行うことができる。したがって、同一領域内連接機能および同一領域内音声機能を有する連接端末プログラムが、他の領域（他艦艇）に対する従来の通話機能は残したままで、選択に基づいて、同一の領域内（艦艇内）の連接端末間でも通話が自在に実行できるようにしている。
【発明を実施するための最良の形態】
【００１０】
以下、本発明の実施の形態について図面を参照しつつ説明する。図１は、本発明の連接端末プログラムの実施の形態が用いられている無線通信システムを示す図、図２は、図１で用いられる連接端末プログラムに含まれる同一領域内連接機能（プログラム）による相手先呼び出しが成功した場合の動作を説明するためのシーケンスチャート、図３は、図１で用いられる連接端末機能（プログラム）に含まれる同一領域内連接機能（プログラム）による相手先呼び出しが成功しなかった場合の動作を説明するためのシーケンスチャート、図４は、図１で用いられる連接端末機能（プログラム）に含まれる同一領域内音声機能（プログラム）による動作を説明するためのシーケンスチャートである。
【００１１】
図１に示されるような第1，第２の領域である第１，第２の艦艇の間の無線通信システムにおいて、第１の艦艇１００は、送受信アンテナ１０ａおよび無線機１０ｂからなる無線部１０と、複数の連接端末１１，１２，〜，１ｎと、ネットワーク３０とを有する。この場合、無線部１０と複数の連接端末１１，１２，〜，１ｎとはネットワーク３０を介して接続されている。第２の艦艇２００についても同様であって、第２の艦艇２００は、送受信アンテナ２０ａおよび無線機２０ｂからなる無線部２０と、複数の連接端末２１，〜，２ｍと、無線機材４０と、ネットワーク６０とを有し、無線部２０と、複数の連接端末２１，〜，２ｍおよび無線器材４０とはネットワーク６０を介して接続されている。
【００１２】
上述の無線通信システムにおいて、例えば、第１の艦艇の連接端末１１から第２の艦艇２００の連接端末２１に対して無線部１０，２０を介して通話を行おうとする場合、連接機能（プログラム）と音声機能（プログラム）とが処理するのは従来と同じである。しかし、連接端末１１が同一艦艇内の連接端末１２に対する同一領域内連接端末間通話の要求をした場合は従来と異なる。一例として、図１の連接端末１１から同一領域内の連接端末１２に同一領域内連接端末間通話の要求が出された場合の動作について図２を参照して説明する。
【００１３】
図１の第１の艦艇１００の連接端末１１から同一艦艇１００の連接端末１２に対する同一領域内連接端末間通話の要求（以降、域内通話要求と記載する）が出されると、図２に示されるように連接端末１１の同一領域内連接機能（プログラム）ＰＧ１１（以降、域内連接プログラムＰＧ１１と記載する）が起動し、連接端末１２の域内連接プログラムＰＧ１２に呼び出し（Ｃａｌｌ）をかける（Ｔ１１）。呼び出しを受けた連接端末１２の域内連接プログラムＰＧ１２は、Ｃａｌｌを受けた旨のメッセージを連接端末１２の画面に表示し（Ｔ１２）、連接端末１１の域内連接プログラムＰＧ１１に対して肯定応答信号（ＡＣＫ）を送信する（Ｔ１３）。ＡＣＫを受け取った連接端末１１の域内連接プログラムＰＧ１１は、域内連接プログラムＰＧ１２と協働して連接端末１１，１２間に対して要求された通信系ＣＣ０を選択する。
【００１４】
その後、連接端末１１の連接プログラムＰＧ１１は、連接端末１１の同一領域内音声プログラムＳＤ１１（以降、域内音声プログラムＳＤ１１と記載する）に同一領域内通話機能を起動させるべきことを通知する（Ｔ１４ａ）。他方、ＡＣＫを送出した連接端末１２の域内連接プログラムＰＧ１２も連接端末１２の同一領域内音声プログラムＳＤ１２（以降、域内音声プログラムＳＤ１２と記載する）に同一領域内通話機能を起動させるべきことを通知する（Ｔ１４ｂ）。両方の連接端末１１，１２の域内音声プログラムＳＤ１１，ＳＤ１２が起動され（Ｔ１５ａ，Ｔ１５ｂ）、同一領域内通話機能が動作を始めると、図４に示されるように、通信系ＣＣ０を介しての音声データに関する接続処理（後述）が開始される。
【００１５】
上述の説明中、図２のステップＴ１２，Ｔ１３において、問題なくＡＣＫが返された場合について説明したが、場合によっては異常発生などによりＡＣＫが返されないことがある。このような場合について、図３を参照して簡単に説明する。連接端末１１から同一艦艇の連接端末１２に対する域内通話要求が出されると、連接端末１１の域内連接プログラムＰＧ１１が起動し、連接端末１２の域内連接プログラムＰＧ１２に呼び出し（Ｃａｌｌ）をかける（Ｔ２１）。呼び出しを受けた域内連接プログラムＰＧ１２は、Ｃａｌｌを受けた旨のメッセージを連接端末１２の画面に表示し（Ｔ２２）、連接端末１１の連接プログラムＰＧ１１に対してＡＣＫを送信しようとするが成功しない。他方、ＡＣＫを受け取れなかった連接プログラムＰＧ１１は、送信したＣａｌｌに関するタイマーをスタートさせ（Ｔ２３）、タイムアップすると、応答が無かった旨のメッセージを連接端末１１に表示し（Ｔ２４）、呼び出し動作をて終了する。
【００１６】
次に、図４を参照しつつ、先に述べた接続処理について、さらに説明をする。図２のステップＴ１５ａ，Ｔ１５ｂに示されるように域内音声プログラムＳＤ１１，ＳＤ１２が起動すると、図４に示される音声データに関する接続処理が開始される。すなわち、連接端末１１から連接端末１２に向けての域内通話要求が出された場合には、要求を出した域内音声プログラムＳＤ１１から域内音声プログラムＳＤ１２に対して接続処理が開始される。この接続処理は、ステップＴ３１からＴ３４に示されるように、連接端末１２からＡＣＫが得られるまで、同様な接続処理が繰り返される。ただし、この繰り返しは、予めタイマーで設定された時間内に限定されている。
【００１７】
域内音声プログラムＳＤ１２は、域内通話要求に応じられる場合は域内音声プログラムＳＤ１１に対してＡＣＫを返す（Ｔ３５）とともに、相手の域内音声プログラムＳＤ１１に対して接続処理を行う（Ｔ３６）。域内音声プログラムＳＤ１２が域内音声プログラムＳＤ１１からＡＣＫを受け取る（Ｔ３７）と、連接端末１１と連接端末１２との間で通話が可能となる。この例では、両方の域内音声プログラムＳＤ１１，ＳＤ１２を対称的にするために両方の域内音声プログラムＳＤ１１，ＳＤ１２がＡＣＫを受け取るように構成したが、一方のプログラムがＡＣＫを受け取った時点で通話が開始されるように構成してもよい。上述した例でも明らかなように、領域外（同一艦艇外）の連接端末と通話を行うか、領域内（同一艦艇内）の連接端末と通話を行うかは、連接端末間通話を要求するか、同一領域内連接端末通話を要求するかで自在に選択できるので効率的である。
【図面の簡単な説明】
【００１８】
【図１】本発明の連接端末プログラムの実施の形態が用いられている無線通信システムを示す図である。
【図２】図１で用いられる連接端末プログラムに含まれる域内連接プログラムによる接続動作が成功した場合の動作を説明するためのシーケンスチャートである。
【図３】図１で用いられる連接端末プログラムに含まれる域内連接プログラムによる接続動作が成功しなかった場合の動作を説明するためのシーケンスチャートである。
【図４】図１で用いられる連接端末プログラムに含まれる域内音声プログラムによる動作を説明するためのシーケンスチャートである。
【図５】連接端末プログラムが用いられている無線通信システムの従来例を示す図である。
【図６】従来の連接端末プログラムによる音声データ授受までの動作を説明するためのシーケンスチャートである。
【符号の説明】
【００１９】
１０，２０  無線部、１０ａ，２０ａ  アンテナ、１０ｂ，２０ｂ  無線機、１１〜１ｎ，２１〜２ｍ  連接端末、３０，６０  ネットワーク、４０  無線器材、１００  第１の艦艇、２００  第２の艦艇。
【図１】
2006191435.tif 000003
【図２】
2006191435.tif 000004
【図３】
2006191435.tif 000005
【図４】
2006191435.tif 000006
【図５】
2006191435.tif 000007
【図６】
2006191435.tif 000008